(57)【要約】【課題】施工後に沈下することがなく、かつ、施工が容易な断熱体を提供する。【解決手段】セルロースファイバー３に接着剤を加えて所定の形状に形成してなることを特徴とする断熱体。セルロースファイバーと細断紙片とを収納体に充填してなることを特徴とする断熱体。セルロースファイバーを内側に突起を備えた収納体に充填してなることを特徴とする断熱体。セルロースファイバーと細断紙片とを内側に突起を備えた収納体に充填してなることを特徴とする断熱体。前記断熱体の表面には他の断熱体又は支持体との密着性を確保するためのセルロースファイバー層を形成する。前記断熱体には支持体に係止するための突縁を備えさせる。セルロースファイバーを内側に突起を備えた建物における収納部に吹き付けて充填してなることを特徴とする断熱体。セルロースファイバーと細断紙片とを建物における収納部に吹き付けて充填してなることを特徴とする断熱体。【選択図】図１
2006233550.tif 000002
【特許請求の範囲】
【請求項１】
セルロースファイバーに接着剤を加えて所定の形状に形成してなることを特徴とする断熱体。
【請求項２】
セルロースファイバーと細断紙片とを収納体に充填してなることを特徴とする断熱体。
【請求項３】
セルロースファイバーを内側に突起を備えた収納体に充填してなることを特徴とする断熱体。
【請求項４】
セルロースファイバーと細断紙片とを内側に突起を備えた収納体に充填してなることを特徴とする断熱体。
【請求項５】
前記断熱体の表面には他の断熱体又は支持体との密着性を確保するためのセルロースファイバー層を形成したことを特徴とする請求項１〜４のいずれかの断熱体。
【請求項６】
前記断熱体には支持体に係止するための突縁を備えさせたことを特徴とする請求項１〜５のいずれかの断熱体。
【請求項７】
セルロースファイバーを内側に突起を備えた建物における収納部に吹き付けて充填してなることを特徴とする断熱体。
【請求項８】
セルロースファイバーと細断紙片とを建物における収納部に吹き付けて充填してなることを特徴とする断熱体。
【発明の詳細な説明】
【技術分野】
【０００１】
本発明は、住宅等の建物の壁、天井、床等に断熱用に使用される断熱体に関するものである。
【背景技術】
【０００２】
従来、建物の断熱材としてガラス繊維が広く使用されていたが、ガラス繊維は人体に悪影響を及ぼすおそれがあるという問題が指摘された。
【０００３】
そこで、近年、ガラス繊維に代えてセルロースファイバーが建物の断熱材としてしばしば使用されている。
【０００４】
建物の断熱材として使用されるセルロースファイバーは、一般に、新聞、雑誌等の古紙を粗砕機、精砕機等により綿状に解織し、これにホウ酸等の防燃剤を加えて防燃性を付与してなるものである。
【０００５】
断熱材としてのセルロースファイバーは、吹込み工法や吹付け工法により施工されている。吹込み工法は、綿状のセルロースファイバーを天井裏に吹込んで適宜の厚さに堆積させるものである。吹付け工法は、セルロースファイバーを接着剤と共に吹き付け、壁や床に適宜の厚さの断熱層を形成するものである。
【０００６】
特開平９−２０９４７１号公報は、セルロースファイバーを吹付けて壁内に充填する壁断熱工法を開示している。
【特許文献１】特開平９−２０９４７１号公報
【発明の開示】
【発明が解決しようとする課題】
【０００７】
しかるに、上記従来のセルロースファイバーは、施工後、自重により沈下するという問題がある。
【０００８】
セルロースファイバーが施工後に沈下したときには、断熱材としての体積が減少し、該断熱材の近傍に隙間が生じ、断熱効果が損なわれることになる。
【０００９】
また、上記従来のセルロースファイバーを吹込み工法や吹付け工法により施工する場合には、高価なブロアーが必要であり、特に大面を施工するときには、ブロアーのホースを引き回して施工しなければならないため、作業性が悪く、施工時にホコリが立つという問題もある。
【００１０】
このような状況に鑑み、本発明は、施工後に沈下することがなく、かつ、施工が容易な断熱体を提供しようとしてなされたものである。
【課題を解決するための手段】
【００１１】
上記課題を解決するために、本発明は、下記の断熱体を提供する。
【００１２】
（１）セルロースファイバーに接着剤を加えて所定の形状に形成してなることを特徴とする断熱体（請求項１）。
【００１３】
（２）セルロースファイバーと細断紙片とを収納体に充填してなることを特徴とする断熱体（請求項２）。
【００１４】
（３）セルロースファイバーを内側に突起を備えた収納体に充填してなることを特徴とする断熱体（請求項３）。
【００１５】
（４）セルロースファイバーと細断紙片とを内側に突起を備えた収納体に充填してなることを特徴とする断熱体（請求項４）。
【００１６】
（５）前記（１）〜（４）の断熱体の表面には他の断熱体又は支持体との密着性を確保するためのセルロースファイバー層を形成する（請求項４）。
【００１７】
（６）前記（１）〜（５）の断熱体には支持体に係止するための突縁を備えさせる（請求項６）。
【００１８】
（７）セルロースファイバーを内側に突起を備えた建物における収納部に吹き付けて充填してなることを特徴とする断熱体（請求項７）。
【００１９】
（８）セルロースファイバーと細断紙片とを建物における収納部に吹き付けて充填してなることを特徴とする断熱体（請求項８）。
【００２０】
［発明の作用］
［請求項１の発明］
請求項１の断熱体は、住宅等の建物の壁、天井、床等に断熱用に使用される。この断熱体は、予め所定の形状に形成されたものであるため、施工時には、単に住宅等の建物の壁、天井、床等における所定の位置に配設すればよい。
【００２１】
この断熱体は、セルロースファイバーに接着剤を加えて所定の形状に形成してなるものであるため、セルロースファイバーが施工後に沈下することはない。
【００２２】
［請求項２の発明］
請求項２の断熱体は、請求項１の断熱体と同様に、住宅等の建物の壁、天井、床等に断熱用に使用される。この断熱体は、セルロースファイバーと細断紙片とを収納体に充填してなるものであるため、施工時には、単に住宅等の建物の壁、天井、床等における所定の位置に配設すればよい。
【００２３】
細断紙片に腰があるため、収納体内のセルロースファイバーが施工後に沈下することはない。
【００２４】
［請求項３の発明］
請求項３の断熱体は、請求項１の断熱体と同様に、住宅等の建物の壁、天井、床等に断熱用に使用される。この断熱体は、セルロースファイバーを内側に突起を備えた収納体に充填してなるものであるため、施工時には、単に住宅等の建物の壁、天井、床等における所定の位置に配設すればよい。
【００２５】
収納体の内側に備えさせた突起により、収納体内のセルロースファイバーが施工後に沈下することが防止される。
【００２６】
［請求項４の発明］
請求項４の断熱体は、請求項１の断熱体と同様に、住宅等の建物の壁、天井、床等に断熱用に使用される。この断熱体は、セルロースファイバーと細断紙片とを内側に突起を備えた収納体に充填してなるものであるため、施工時には、単に住宅等の建物の壁、天井、床等における所定の位置に配設すればよい。
【００２７】
細断紙片に腰があり、かつ、収納体の内側に突起を備えさせたため、収納体内のセルロースファイバーが施工後に沈下することが防止される。
【００２８】
［請求項５の発明］
請求項５の断熱体を住宅等の建物の壁、天井、床等における所定の位置に配設したときには、断熱体の表面に形成されたセルロースファイバー層が他の断熱体又は柱等の支持体に密着することにより、当該断熱体と他の断熱体又は柱等の支持体との密着性が確保される。従って、断熱効果が向上する。
【００２９】
［請求項６の発明］
請求項６の断熱体を住宅等の建物の壁、天井、床等における所定の位置に配設する際には、断熱体の突縁を根太、タルキ等の支持体に係止させる。
【００３０】
［請求項７の発明］
請求項７の発明は、主として、建物における細部ないし異形部の断熱に適用される。即ち、内側に突起を備えた小さな又は異形の収納部にセルロースファイバーを吹き付けて充填するのである。
【００３１】
収納部の内側に備えさせた突起により、収納部内に充填されたセルロースファイバーが施工後に沈下することが防止される。
【００３２】
［請求項８の発明］
請求項８の発明は、主として、建物における細部ないし異形部の断熱に適用される。即ち、内側に突起を備えた小さな又は異形の収納部にセルロースファイバーと細断紙片とを吹き付けて充填するのである。
【００３３】
細断紙片に腰があるため、収納部内のセルロースファイバーが施工後に沈下することはない。
【発明の効果】
【００３４】
［請求項１の発明］
請求項１の断熱体は、予め所定の形状に形成されたものであるため、施工時には、単に住宅等の建物の壁、天井、床等における所定の位置に配設すればよい。即ち、施工が極めて容易であり、高価なブロアーは不要である。
【００３５】
この断熱体は、セルロースファイバーに接着剤を加えて所定の形状に形成してなるものであるため、セルロースファイバーが施工後に沈下することはない。
【００３６】
［請求項２の発明］
請求項２の断熱体は、施工時には、単に住宅等の建物の壁、天井、床等における所定の位置に配設すればよい。即ち、施工が極めて容易であり、高価なブロアーは不要である。
【００３７】
細断紙片に腰があるため、収納体内のセルロースファイバーが施工後に沈下することはない。
【００３８】
［請求項３の発明］
請求項３の断熱体は、セルロースファイバーを内側に突起を備えた収納体に充填してなるものであるため、施工時には、単に住宅等の建物の壁、天井、床等における所定の位置に配設すればよい。即ち、施工が極めて容易であり、高価なブロアーは不要である。
【００３９】
収納体の内側に備えさせた突起により、収納体内のセルロースファイバーが施工後に沈下することが防止される。
【００４０】
［請求項４の発明］
請求項４の断熱体は、セルロースファイバーと細断紙片とを内側に突起を備えた収納体に充填してなるものであるため、施工時には、単に住宅等の建物の壁、天井、床等における所定の位置に配設すればよい。即ち、施工が極めて容易であり、高価なブロアーは不要である。
【００４１】
細断紙片に腰があり、かつ、収納体の内側に突起を備えさせたため、収納体内のセルロースファイバーが施工後に沈下することが防止される。
【００４２】
［請求項５の発明］
請求項５の断熱体を住宅等の建物の壁、天井、床等における所定の位置に配設したときには、断熱体の表面に形成されたセルロースファイバー層が他の断熱体又は柱等の支持体に密着することにより、当該断熱体と他の断熱体又は柱等の支持体との密着性が確保される。従って、断熱効果が向上する。
【００４３】
［請求項６の発明］
請求項６の断熱体を住宅等の建物の壁、天井、床等における所定の位置に配設する際には、断熱体の突縁を根太、タルキ等の支持体に係止させればよい。即ち、施工が極めて容易であり、高価なブロアーは不要である。
【００４４】
［請求項７の発明］
建物における小さな又は異形の収納部に対しては、予め所定の形状に形成された断熱体を使用するよりも、むしろセルロースファイバーを吹き付けて充填する方が容易である。
【００４５】
収納部の内側に備えさせた突起により、収納部内に充填されたセルロースファイバーが施工後に沈下することが防止される。
【００４６】
［請求項８の発明］
前述の如く、建物における小さな又は異形の収納部に対しては、予め所定の形状に形成された断熱体を使用するよりも、むしろセルロースファイバーを吹き付けて充填する方が容易である。
【００４７】
細断紙片に腰があるため、収納部内のセルロースファイバーが施工後に沈下することはない。
【発明を実施するための最良の形態】
【００４８】
図１に示す断熱体１ａは、セルロースファイバー３に接着剤を加えて所定の形状に形成してなるものである。この事例における断熱体１ａは、板状に形成されている。
【００４９】
セルロースファイバー３としては、例えば、新聞、雑誌等の古紙を粗砕機、精砕機等により綿状に解織し、これにホウ酸等の防燃剤を加えて防燃性を付与してなるものを使用する。
【００５０】
接着剤としては、一例として、エポキシ樹脂を使用する。
【００５１】
図３に示す断熱体１ｂは、セルロースファイバー３と細断紙片５とを収納体７ａに充填してなるものである。
【００５２】
細断紙片５は、好ましくは、紙をシュレッダーにより細断してなるものとする。
【００５３】
収納体７ａとしては、例えば、箱体、袋体等を使用する。袋体は、開口部よりセルロースファイバー３と細断紙片５とを充填した後、該開口部を縫着する。
【００５４】
図４に示す断熱体１ｃは、セルロースファイバー３を内側に突起９を備えた収納体７ｂに充填してなるものである。
【００５５】
突起９は、一例として、収納体７ｂにおける壁部１１の一部を収納体７ｂの内方に折曲してなるものとする。図５参照。
【００５６】
突起９は、例えば、収納体７ｂにおける相対向する一対の壁部１１、１１の一方又は両方に備えさせる。
【００５７】
内側に突起９を備えた収納体７ｂには、セルロースファイバー３と細断紙片５とを充填してもよい。
【００５８】
断熱体１（１ａ、１ｂ、１ｃ）の表面には、他の断熱体１又は柱等の支持体１３との密着性を確保するためのセルロースファイバー層１５を形成する。図６、図７参照。
【００５９】
セルロースファイバー層１５は、一例として、綿状のセルロースファイバー３を断熱体１の表面に接着してなるものとする。
【００６０】
セルロースファイバー層１５は、断熱体１における必要な表面に形成する。例えば断熱体１が板状体である場合には、該板状体の６面における単数面又は複数面に形成する。セルロースファイバー層１５は、該板状体の６面全部に形成しても差し支えない。
【００６１】
図８、図９に示す事例においては、断熱体１（１ａ、１ｂ、１ｃ）には根太、タルキ等の支持体１３に係止するための突縁１７を備えさせている。
【００６２】
即ち、一例として、断熱体１の片面に該断熱体１よりもやや大きな板状体１９を固定し、該板状体１９において断熱体１よりも側方に突出した部分を突縁１７とする。板状体１９は、一例として段ボールにより形成し、該突縁１７を固着具により支持体１３に固着してもよい。
【００６３】
図１０に示す事例においては、セルロースファイバー３を内側に突起２０を備えた建物における収納部２１に吹き付けて充填するようにしている。セルロースファイバー３は、接着剤と共に吹き付けてもよい。符号２３に示すものは収納部２１に形成した吹き付け穴である。
【００６４】
なお、図１０に示す事例において、セルロースファイバー３と細断紙片５とを収納部２１に吹き付けて充填するようにしてもよい。
【００６５】
また、セルロースファイバー３と細断紙片５とを建物における収納部２１に吹き付けて充填するようにしてもよい。セルロースファイバー３と細断紙片５とを接着剤と共に吹き付けてもよい。これらの場合には、収納部２１の内側に突起２０を備えさせることは必ずしも必要ではない。
【図面の簡単な説明】
【００６６】
【図１】本発明による断熱体の一例を示す斜視図である。
【図２】同上断熱体の使用状態の一例を示す側面図である。
【図３】本発明による断熱体の別の一例を示す断面図である。
【図４】本発明による断熱体の更に別の一例を示す断面図である。
【図５】同上断熱体における収納体の突起の一例を示す断面図である。
【図６】本発明による断熱体の更に別の一例の使用状態を示す正面図である。
【図７】本発明による断熱体の更に別の一例の使用状態を示す側面図である。
【図８】本発明による断熱体の更に別の一例を示す斜視図である。
【図９】同上断熱体の使用状態の一例を示す側面図である。
【図１０】本発明による断熱体の更に別の一例を示す断面図である。
【符号の説明】
【００６７】
１  断熱体
１ａ  断熱体
１ｂ  断熱体
１ｃ  断熱体
３  セルロースファイバー
５  細断紙片
７ａ  収納体
７ｂ  収納体
９  突起
１１  壁部
１３  支持体
１５  セルロースファイバー層
１７  突縁
１９  板状体
２０  突起
２１  収納部
２３  吹き付け穴
【図１】
2006233550.tif 000003
【図２】
2006233550.tif 000004
【図３】
2006233550.tif 000005
【図４】
2006233550.tif 000006
【図５】
2006233550.tif 000007
【図６】
2006233550.tif 000008
【図７】
2006233550.tif 000009
【図８】
2006233550.tif 000010
【図９】
2006233550.tif 000011
【図１０】
2006233550.tif 000012